(57)【要約】【課題】  本発明は、使用状況によらず使い勝手を向上させる。【解決手段】  本発明は、筐体本体部に対し、右スピーカ１０を収納した筐体右側開閉部６を右端面４Ａと第１の開口６Ａ全体とを当接させる位置から所定角度範囲で開閉可能に取り付けると共に、左スピーカ１１を収納した筐体左側開閉部７を左端面５Ａと第２の開口７Ａ全体とを当接させる位置から所定角度範囲で開閉可能に取り付けることにより、使用停止時に、筐体右側開閉部６及び筐体左側開閉部７を閉じて右及び左スピーカ１０及び１１全体を外部から完全に隠して破損を確実に防止し、放音時に、筐体右側開閉部６及び筐体左側開閉部７を開いて右及び左スピーカ１０及び１１を外部に向けて音声を聴取させ、かくして使用状況によらず使用停止時及び放音時全般に渡って使い勝手を向上させ得る。【選択図】        図１
2006345465.tif 000002
【特許請求の範囲】
【請求項１】
一対の第１及び第２のスピーカと、
互いに対向する一方及び他方の端面を有する筐体本体部と、
上記第１のスピーカを収納して当該第１のスピーカの振動板の正面のみを露出させる第１の開口を有し、上記筐体本体部に対し、上記一方の端面と上記第１の開口全体とを当接させる位置と、上記一方の端面から上記第１の開口を離間させる位置との所定角度範囲で開閉可能に取り付けられた第１の開閉部と、
上記第２のスピーカを収納して当該第２のスピーカの振動板の正面のみを露出させる第２の開口を有し、上記筐体本体部に対し、上記他方の端面と上記第２の開口全体とを当接させる位置と、上記他方の端面から上記第２の開口を離間させる位置との所定角度範囲で開閉可能に取り付けられた第２の開閉部と
を具えることを特徴とする放音装置。
【請求項２】
上記筐体本体部は、
上記筐体本体部の中央の部分でなる筐体中央部と、
上記一方の端面を有し、上記第１の開閉部が上記開閉可能に取り付けられると共に、上記筐体中央部に対し回動可能に枢支された第１の筐体回動部と、
上記他方の端面を有し、上記第２の開閉部が上記開閉可能に取り付けられると共に、上記筐体中央部に対し回動可能に枢支された第２の筐体回動部と
を具えることを特徴とする請求項１に記載の放音装置。
【請求項３】
上記第１の開閉部は、
上記第１の開口の径よりも当該第１の開口を基準とした厚みが短く選定され、
上記第２の開閉部は、
上記第２の開口の径よりも当該第２の開口を基準とした厚みが短く選定された
ことを特徴とする請求項１に記載の放音装置。
【請求項４】
上記筐体本体部に対し、上記第１及び第２の開閉部を開閉する開閉駆動部
を具えることを特徴とする請求項１に記載の放音装置。
【発明の詳細な説明】
【技術分野】
【０００１】
本発明は放音装置に関し、例えば音楽再生装置に適用して好適なものである。
【背景技術】
【０００２】
従来のスピーカは、浅底箱状のケース内にスピーカ本体が収容されて形成された一対のスピーカユニットが、柱状の連結部に回動可能に取り付けられている。また各スピーカユニットのケースには、底部及びこれと対向する蓋部にそれぞれ１乃至複数個の放音部としての透孔が形成されている。そしてかかるスピーカは、スピーカユニット同士が互いのケースの蓋部を対向させるように閉じられると、当該各スピーカユニットと連結部とを一体に平板状にして携帯性を向上させていた。またスピーカは、各スピーカユニットが互いのケースの蓋部を引き離すように開かれた状態で、これら各スピーカユニットにおいてケースの底部及び蓋部の透孔から外部に音を放音していた（例えば、特許文献１参照）。
【特許文献１】特開２０００−３５８２９１公報（第５頁、図１、図５）
【発明の開示】
【発明が解決しようとする課題】
【０００３】
ところでかかる構成のスピーカは、スピーカユニットが開かれた場合、当該スピーカユニット同士の開き角度を自在に変化させ得ることで、これらスピーカユニットから放音させる音の向き（すなわち、ケースの厚み方向）も自在に変化させることができる。またスピーカは、スピーカユニット同士が閉じられた場合、互いのケースの蓋部を対向させることで、当該蓋部に形成された透孔を外部から隠すことができる。このためスピーカは、スピーカユニット同士が閉じられた場合、ケースの蓋部に形成された透孔を介して当該ケース内に異物が差し込まれスピーカ本体が破損することを防止している。
【０００４】
ところがかかる構成のスピーカは、スピーカユニット同士が閉じられても、互いのケースの底部に形成された透孔が外部に露出したままとなる。このためスピーカは、スピーカユニット同士が閉じられた場合でも、かかるケースの底部に形成された透孔を介して当該ケース内に異物が差し込まれてスピーカ本体が破損する可能性がある。従ってスピーカは、スピーカユニット同士が閉じられた場合、スピーカ本体を確実に保護し得るとは言えず、使用状況によっては使い勝手がわるいという問題があった。
【０００５】
本発明は以上の点を考慮してなされたもので、使用状況によらず使い勝手を格段的に向上し得る放音装置を提案しようとするものである。
【課題を解決するための手段】
【０００６】
かかる課題を解決するため本発明においては、一対の第１及び第２のスピーカと、互いに対向する一方及び他方の端面を有する筐体本体部と、第１のスピーカを収納して当該第１のスピーカの振動板の正面のみを露出させる第１の開口を有し、筐体本体部に対し、一方の端面と第１の開口全体とを当接させる位置と、一方の端面から第１の開口を離間させる位置との所定角度範囲で開閉可能に取り付けられた第１の開閉部と、第２のスピーカを収納して当該第２のスピーカの振動板の正面のみを露出させる第２の開口を有し、筐体本体部に対し、他方の端面と第２の開口全体とを当接させる位置と、他方の端面から第２の開口を離間させる位置との所定角度範囲で開閉可能に取り付けられた第２の開閉部とを設けるようにした。
【０００７】
従って本発明の放音装置では、使用停止時に、筐体本体部に対し第１及び第２の開閉部を閉じて第１及び第２の開口全体を一方及び他方の端面に当接させることで、第１及び第２のスピーカ全体を外部から完全に隠し何も触れないようにして、当該第１及び第２のスピーカが破損することを確実に防止することができる。また放音装置では、放音時に、筐体本体部に対し第１及び第２の開閉部を開くことで、第１及び第２のスピーカをそれぞれ振動板が外部に向くように配置して音声を聴取させることができる。
【発明の効果】
【０００８】
本発明によれば、互いに対向する一方及び他方の端面を有する筐体本体部に対し、第１のスピーカを収納して当該第１のスピーカの振動板の正面のみを露出させる第１の開口を有する第１の開閉部を、一方の端面と第１の開口全体とを当接させる位置と、一方の端面から第１の開口を離間させる位置との所定角度範囲で開閉可能に取り付けると共に、第２のスピーカを収納して当該第２のスピーカの振動板の正面のみを露出させる第２の開口を有する第２の開閉部を、他方の端面と第２の開口全体とを当接させる位置と、他方の端面から第２の開口を離間させる位置との所定角度範囲で開閉可能に取り付けるようにしたことにより、使用停止時に、筐体本体部に対し第１及び第２の開閉部を閉じて第１及び第２の開口全体を一方及び他方の端面に当接させることで、第１及び第２のスピーカ全体を外部から完全に隠し何も触れないようにして当該第１及び第２のスピーカが破損することを確実に防止することができると共に、放音時には、筐体本体部に対し第１及び第２の開閉部を開くことで、第１及び第２のスピーカをそれぞれ振動板が外部に向くように配置して音声を聴取させることができ、かくして使用状況によらず使用停止時及び放音時全般に渡って使い勝手を向上し得る放音装置を実現することができる。
【発明を実施するための最良の形態】
【０００９】
以下図面について、本発明の一実施の形態を詳述する。
【００１０】
図１（Ａ）及び（Ｂ）並びに図２において、１は全体として本発明を適用した音楽再生装置を示し、例えば略回転楕円体状の装置筺体（以下、これを回転楕円体状筐体と呼ぶ）２を有している。かかる回転楕円体状筺体２は、その中央の略樽型形状の部分でなる筺体中央部３と、当該筺体中央部３の互いに対向する一対の端部のうち一方の端部（以下、これを右側端部と呼ぶ）側に位置する略円錐台形状の部分でなる第１の筐体回動部（以下、これを筐体右側回動部と呼ぶ）４と、他方の端部（以下、これを左側端部と呼ぶ）側に位置する略円錐台形状の部分でなる第２の筐体回動部（以下、これを筐体左側回動部と呼ぶ）５と、当該筐体右側回動部４の右端面４Ａ側に位置し、第１の凹部を有する略円錐形状の部分でなる第１の筐体開閉部（以下、これを筺体右側開閉部と呼ぶ）６と、筐体左側回動部５の左端面５Ａ側に位置し、第２の凹部を有する略円錐形状の部分でなる第２の筐体開閉部（以下、これを筺体左側開閉部と呼ぶ）７とから構成されている。因みに回転楕円体状筐体２では、筐体中央部３と、筐体右側回動部４及び筐体左側回動部５とを一体化した筐体本体部と見なした場合、当該筐体本体部の互いに対向する一方及び他方の端面のうち、当該一方の端面が筐体右側回動部４の右端面４Ａとなり、他方の端面が筐体左側回動部５の左端面となる。
【００１１】
この場合、回転楕円体状筐体２の中心点Ｐ１から当該回転楕円体状筐体２表面の最も遠い右側及び左側の両頂点Ｐ２、Ｐ３を直線で結ぶ線分（すなわち、回転楕円体の長軸）を水平回動軸線Ｌ１とすると、筐体右側回動部４は、筺体中央部３の右側端部に対し当該水平回動軸線Ｌ１を中心にして矢印Ｄ１に示す軸回り一方向及びこれとは逆の軸回り他方向に回動可能に枢支されている。また筐体左側回動部５は、筺体中央部３の左側端部に対し水平回動軸線Ｌ１を中心にして軸回り一方向及び軸回り他方向に回動可能に枢支されている。
【００１２】
さらに図３に示すように、筺体右側開閉部６は、筐体右側回動部４に対し、当該筐体右側回動部４の右端面４Ａ縁部の所定位置に設けられたヒンジ部８を介して所定角度範囲で開閉可能に取り付けられている。因みに筐体右側開閉部６は、筐体右側回動部４に対し、右端面４Ａと第１の凹部の第１の開口６Ａ全体とを当接させる 位置から、例えば右端面４Ａと第１の開口６Ａとの開き角度が略90度となる位置まで、又は筐体右側回動部４の側面に当該筐体右側開閉部６の外側表面を当接させる位置まで等の所定角度範囲内で任意の角度に開く。さらに筺体左側開閉部７（図３）は、筐体左側回動部５に対し、当該筐体左側回動部５の左端面５Ａ縁部の所定位置に設けられたヒンジ部９を介して所定角度範囲で開閉可能に取り付けられている。因みに筐体左側開閉部７は、筐体左側回動部５に対し、左端面５Ａと第２の凹部の第２の開口７Ａ全体とを当接させる位置から、例えば左端面５Ａと第２の開口７Ａとの開き角度が略90度となる位置まで、又は筐体左側回動部５の側面に当該筐体左側開閉部７の外側表面を当接させる位置まで等の所定角度範囲で任意の角度に開く。
【００１３】
そして筺体右側開閉部６の第１の凹部（図１（Ｂ）及び図２）には、ステレオ用の一対の第１及び第２のスピーカ１０及び１１のうち右チャンネル用の第１のスピーカ（以下、これを右スピーカと呼ぶ）１０が円形の振動板の正面のみを当該第１の凹部の第１の開口６Ａから露出させて収納されている。筐体右側開閉部６は、筐体左側開閉部７とは独立して開閉し得るようになされており、ヒンジ部８を介して回転して、第１の開口６Ａ全体を筐体右側回動部４の右端面４Ａに当接させて閉じた場合、右スピーカ１０の振動板を外部から隠すことができる。これに対して筐体右側開閉部６は、ヒンジ部８を介して回転して、第１の開口６Ａを筐体右側回動部４の右端面４Ａから離間させるように開いた場合、右スピーカ１０の振動板の正面を外部の任意の方向に向けることができる。一方、筺体左側開閉部７の第２の凹部には、右スピーカ１０と同様構成及び同様形状の左チャンネル用の第２のスピーカ（以下、これを左スピーカと呼ぶ）１１が円形の振動板の正面のみを当該第２の凹部の第２の開口７Ａから露出させて収納されている。これにより筐体左側開閉部７は、ヒンジ部９を介して回転して、第２の開口７Ａ全体を筐体左側回動部５の左端面５Ａに当接させて閉じた場合、左スピーカ１１の振動板を外部から隠すことができる。これに対して筐体左側開閉部７は、ヒンジ部９を介して回転して、第２の開口７Ａを筐体左側回動部５の左端面５Ａから離間させるように開いた場合、左スピーカ１１の振動板の正面を外部の任意の方向に向けることができる。
【００１４】
ところで右スピーカ１０及び左スピーカ１１は、振動板の正面から背面方向への全体的な厚みよりも、当該振動板の直径が大きく形成されている。また図４に示すように、筐体右側開閉部６及び筐体左側開閉部７は、右スピーカ１０及び左スピーカ１１の形状に応じて、第１及び第２の開口６Ａ及び７Ａを基準とした頂点Ｐ２及びＰ３までの幅Ｌ５よりも当該第１及び第２の開口６Ａ及び７Ａの直径Ｌ６が長く形成されている。このため回転楕円体状筐体２は、筐体右側開閉部６及び筐体左側開閉部７がそれぞれ開かれた場合、水平回動軸線Ｌ１に沿った全体の長さ（すなわち、回転楕円体状筐体２の長手方向の長さであり、以下、これを筐体幅と呼ぶ）が当該水平回動軸線Ｌ１（すなわち、回転楕円体の長軸）よりも長くなる。しかしながら回転楕円体状筐体２は、筐体右側開閉部６及び筐体左側開閉部７の両方が閉じられた場合、筐体全体を極力小さくまとまった状態にする（すなわち、筐体幅を水平回動軸線Ｌ１に沿った回転楕円体の長軸と同じ長さにしてコンパクト化する）ことができ、収納性を向上させている。
【００１５】
また図５及び図６に示すように、筐体右側回動部４は、筐体左側回動部５とは独立して回動し得るようになされており、筐体右側開閉部６が任意の角度に開いた状態で回動した場合、当該筐体右側開閉部６に収納された右スピーカ１０の振動板の正面を筐体中央部３の正面方向や背面方向、また上方向や下方向等の種々の方向に向けさせることができる。一方、筐体左側回動部５も、筐体左側開閉部７が任意の角度に開いた状態で回動した場合、当該筐体左側開閉部７に収納された左スピーカ１０の振動板の正面を筐体中央部３の正面方向や背面方向、また上方向や下方向等の種々の方向に向けさせることができる。
【００１６】
これに加えて図１（Ａ）及び（Ｂ）並びに図２に示すように、筐体中央部３の右側端部には、当該筺体中央部３の最大外径よりも大きい所定外径を有する円環形状の右側筺体支持部１２が取り付けられている。また筺体中央部３の左側端部には、右側筐体支持部１２と同様形状及び同様外形の左側筺体支持部１３が取り付けられている。さらに筐体中央部３内には、内壁所定位置に重り１４が固定されている。そして筐体中央部３は、回転楕円体状筐体２の中心点Ｐ１から右側端部（すなわち、筐体右側支持部１２）までの距離と、当該回転楕円体状筐体２の中心点Ｐ１から左側端部（すなわち、筐体左側支持部１３）までの距離とがほぼ等しい所定距離に選定されている。また筐体右側回動部４及び筐体左側回動部５は、互いに同じ形状でなり、互いの幅がほぼ等しい所定幅に選定されている。さらに筐体右側開閉部６及び筐体左側開閉部７も、互いに同じ形状でなり、それぞれ第１及び第２の凹部の第１及び第２の開口６Ａ及び７Ａから表面の頂点Ｐ２、Ｐ３までの幅Ｌ５がほぼ等しい所定長さに選定されている。すなわち回転楕円体状筐体２は、当該回転楕円体状筐体２の中心Ｐ１を通り、水平回動軸線Ｌ１を垂線とする仮想平面（図示せず）に対し左右が面対象に形成されている。
【００１７】
このため回転楕円体状筐体２は、机等に載上される場合、筐体中央部３の最大外形部分の外周面を机等の天板表面から僅かに離間させ、かつ水平回動軸線Ｌ１を机等の天板表面と並行にした姿勢で右側筐体支持部１２及び左側筐体支持部１３により支持される。これに加えて回転楕円体状筐体２は、筐体中央部３内の重り１４により当該筐体中央部３の重心が中心点Ｐ１から内壁寄りにずれているため、机等に載上された場合、当該重り１４を鉛直下側に位置させた（すなわち、重り１４部分でなる重心を机等の天板表面に極力近づけた）姿勢（以下、これを載上基準姿勢と呼ぶ）となる。そして筺体中央部３内の重り１４は、比較的重い重さに選定されている。従って回転楕円体状筐体２は、右側筐体支持部１２及び左側筐体支持部１３によって支持された状態で机等に載上された場合、筐体右側開閉部６及び筐体左側開閉部７がそれぞれ独立して任意の角度に開かれても右側及び左側等に傾くことなく、載上基準姿勢を維持することができる。
【００１８】
これに加えて筐体右側回動部４は、その側面に、光を発する円弧形状の右側発光部１５が設けられている。また筐体左側回動部５は、その側面に、光を発する円弧形状の左側発光部１６が設けられている。そしてかかる右側発光部１５及び左側発光部１６は、それぞれ全体や一部分、また発光色等のように発光状態を可変して発光するように形成されている。
【００１９】
次に図７を用いて音楽再生装置１の回路構成について説明する。かかる音楽再生装置１の各回路は回転楕円体状筐体２内に設けられている。この場合、音楽再生装置１全体を統括的に制御するＣＰＵ（Central Processing Unit ）等でなる制御部２０は、外部の例えばパーソナルコンピュータ（図示せず）から供給される音楽データを、ＵＳＢ（Universal Serial Bus）コネクタ等でなるインタフェース部２１を介して、半導体メモリ等でなる記憶部２２に取り込んで記憶する。そして制御部２０は、回転楕円体状筺体２の表面に設けられた操作キーや外部のリモートコントローラ等でなる操作部２３を介して再生命令が入力されると、これに応じて記憶部２２から音楽データを読み出して音楽再生処理部２４に送出する。音楽再生処理部２４は、制御部２０から与えられた音楽データに対し復号処理やデジタル／アナログ変化処理、増幅処理等の所定の音楽再生処理を施し、その結果得られた音楽信号を右スピーカ１０及び左スピーカ１１に送出する。これにより右スピーカ１０及び左スピーカ１１は、音楽信号に基づく音楽を放音して聴取させる。
【００２０】
また制御部２０は、例えば記憶部２２に対し、予め音楽データに基づく音楽の曲調に応じた、右側発光部１５及び左側発光部１６の発光パターンを示す発光パターンデータを記憶している。従って制御部２０は、記憶部２２から音楽データを読み出して音楽再生処理させたとき、記憶部２２から当該音楽データに対応する発光パターンデータも読み出す。そして制御部２０は、かかる発光パターンデータに基づき右側発光部１５及び左側発光部１６の発光状態を制御する。これにより制御部２０は、右スピーカ１０及び左スピーカ１１から放音させている音楽の曲調に同期させて右側発光部１５及び左側発光部１６を発光させる。
【００２１】
以上の構成において、音楽再生装置１は、使用停止時、手動で筐体右側開閉部６を筐体右側回動部４に対し閉じると共に、筐体左側開閉部７を筐体左側回動部５に対し閉じることができる。従って音楽再生装置１は、使用停止時、筺体右側開閉部６において右スピーカ１０を露出する（すなわち、右スピーカ１０の振動板の正面を露出する）唯一の第１の開口６Ａを筐体右側回動部４の右端面４Ａで閉塞すると共に、筺体左側開閉部７において左スピーカ１１を露出する（すなわち、左スピーカ１１の振動板の正面を露出する）唯一の第２の開口７Ａを筐体左側回動部５の左端面５Ａで閉塞することができる。よって音楽再生装置１は、使用停止時に、右スピーカ１０及び左スピーカ１１を外部から完全に隠して何も触れないようにし、かくしてこれら右スピーカ１０及び左スピーカ１１が破損することを確実に防止することができる。
【００２２】
また音楽再生装置１は、音楽データの再生時、手動で筐体右側開閉部６を筐体右側回動部４に対し任意の角度に開くと共に、筐体左側開閉部７を筐体左側回動部５に対し任意の角度に開くことができる。従って音楽再生装置１は、音楽データの再生時、右スピーカ１０及び左スピーカ１１をそれぞれ振動板がユーザ（例えば、頭部）に向くように配置した状態で、かかる音楽データに基づく音楽を聴取させることができる。そして音楽再生装置１は、この際に右スピーカ１０及び左スピーカ１１を、これらの間に筐体中央部３と、筐体右側回動部４及び筐体左側回動部５とを介在させて適宜離間させる。このため音楽再生装置１は、右スピーカ１０及び左スピーカ１１からそれぞれ放音させる音楽同士が互いに干渉し合うことを回避し、かくして音楽に対し音の広がりをもたせて音質を向上させることができる。さらに音楽再生装置１は、筐体右側開閉部６の第１の開口６Ａを筐体右側回動部４の右端面４Ａに隣接させた状態で任意の角度に開かせるため、右スピーカ１０から放音する音楽を当該右端面４Ａで回転楕円体状筐体２の右寄りに反射させることができる。また音楽再生装置１は、筐体左側開閉部７の第２の開口７Ａについても同様に筐体左側回動部５の左端面５Ａに隣接させた状態で任意の角度に開かせるため、左スピーカ１１から放音する音楽を当該左端面５Ａで回転楕円体状筐体２の左寄りに反射させることができる。従って音楽再生装置１は、右スピーカ１０及び左スピーカ１１から放音させる音楽に対しさらに豊かな音の広がりをもたせて音質を向上させることができる。因みに音楽再生装置１では、筐体右側回動部４及び筐体左側回動部５に対する筐体右側開閉部６及び筐体左側開閉部７の開き角度に応じて、右スピーカ１０及び左スピーカ１１から放音される音楽が右端面４Ａ及び左端面５Ａで反射する際の周波数成分や強度が異なる。そして音楽再生装置１では、筐体右側回動部４及び筐体左側回動部５に対し筐体右側開閉部６及び筐体左側開閉部７を任意の角度に開かせることができるため、ユーザに対し、右スピーカ１０及び左スピーカ１１から放音される音楽の音質を好みの音質となるように、当該筐体右側開閉部６及び筐体左側開閉部７の開き角度を自由に調節させることができる。
【００２３】
以上の構成によれば、音楽再生装置１の回転楕円体状筐体２において、筐体中央部３の右側端部に取り付けた筐体右側回動部４に対し筐体右側開閉部６を、当該筐体右側回動部４の右端面４Ａに筐体右側開閉部６の第１の開口６Ａ全体を当接させた位置と、その右端面４Ａから第１の開口６Ａを離間させる位置との所定角度範囲内で開閉可能に取り付けると共に、当該筐体右側開閉部６の第１の凹部内に右スピーカ１０を振動板の正面のみが第１の開口６Ａから露出するように収納するようにした。また回転楕円体状筐体２において、筐体中央部３の左側端部に取り付けた筐体左側回動部５に対し筐体左側開閉部７を、当該筐体左側回動部５の左端面５Ａに筐体左側開閉部７の第２の開口７Ａ全体を当接させた位置と、その左端面５Ａから第２の開口７Ａを離間させる位置との所定角度範囲内で開閉可能に取り付けると共に、当該筐体左側開閉部７の第２の凹部内に左スピーカ１１を振動板の正面のみが第２の開口７Ａから露出するように収納するようにした。これにより音楽再生装置１は、使用停止時に、筐体右側回動部４に対して筺体右側開閉部６を閉じて第１の開口６Ａ全体を右端面４Ａに当接することで、筐体右側開閉部６内の右スピーカ１０全体を外部から完全に隠して何も触れないようにし、かつ筐体左側回動部５に対して筺体左側開閉部７を閉じて第２の開口７Ａ全体を左端面５Ａに当接することで、筐体左側開閉部７内の左スピーカ１１全体を外部から完全に隠して何も触れないようにして、これら右スピーカ１０及び左スピーカ１１が破損することを確実に防止することができる。また音楽再生装置１は、音楽データの再生時、筐体右側回動部４に対し筐体右側開閉部６を開くと共に、筐体左側回動部５に対し筐体左側開閉部７を開くことで、右スピーカ１０及び左スピーカ１１をそれぞれ振動板がユーザに向くように配置して音楽データに基づく音楽を聴取させることができる。よって音楽再生装置１は、使用状況によらず使用停止時及び音楽データの再生時全般に渡って使い勝手を向上させることができる。
【００２４】
また音楽再生装置１は、筐体右側開閉部６及び筐体左側開閉部７の第１及び第２の開口６Ａ及び７Ａの直径Ｌ６よりも当該第１及び第２の開口６Ａ及び７Ａから頂点Ｐ２及びＰ３までの幅Ｌ５を短くしている。このため音楽再生装置１は、筐体右側開閉部６及び筐体左側開閉部７がそれぞれ開かれた場合には、筐体幅方向に大型化するものの、当該筐体右側開閉部６及び筐体左側開閉部７が閉じられた場合には、筐体幅方向に小型化して収納性を向上させることができる。
【００２５】
さらに音楽再生装置１は、筐体中央部３に対し筐体右側回動部４及び筐体左側回動部５を回動可能に枢支している。このため音楽再生装置１は、音楽データの再生時に、筐体右側回動部４及び筐体左側回動部５に対し筐体右側開閉部６及び筐体左側開閉部７がそれぞれ開かれた場合、手動でこれら筐体右側回動部４及び筐体左側回動部５を任意の回転角度だけ回転させることにより、右スピーカ１０及び左スピーカ１１の振動板の正面をそれぞれ任意の方向に向けることができる。従って音楽再生装置１は、机や床、棚等のように、種々の高さの何れの場所に置かれた場合でも、筐体右側回動部４及び筐体左側回動部５の回転角度に応じて右スピーカ１０及び左スピーカ１１の振動板をユーザに対し（例えば、音楽再生装置１の載上された場所の高さとは異なるユーザの頭部に対し）容易に向けることができ、かくして音楽再生装置１がどのような高さの場所に載上されても、ユーザに対し音楽を最良の音質で聴取させることができる。
【００２６】
なお上述の実施の形態においては、音楽再生装置１において、筐体右側回動部４及び筐体左側回動部５に対し筐体右側開閉部６及び筐体左側開閉部７を手動で開閉するようにした場合について述べたが、本発明はこれに限らず、音楽再生装置において、筐体右側回動部４及び筐体左側回動部５に対し筐体右側開閉部６及び筐体左側開閉部７をモータ等の開閉駆動部を介して自動的に開閉するようにしても良い。
【００２７】
この場合、例えば図７との対応部分に同一符号を付した図８に示すように、音楽再生装置３０において、制御部３１は予め電源投入命令の入力に応じた起動時に、筐体右側回動部４及び筐体左側回動部５に対し筐体右側開閉部６及び筐体左側開閉部７を開く角度を示す角度情報を記憶部２２に記憶しておく。そして制御部３１は、起動時に記憶部２２内の角度情報に応じて開閉駆動部３２を制御することにより筐体右側回動部４及び筐体左側回動部５に対し筐体右側開閉部６及び筐体左側開閉部７を所定角度まで自動的に開くようにする。これに加えて制御部３１は、起動停止時には、開閉駆動部３２を制御することにより筐体右側回動部４及び筐体左側回動部５に対し筐体右側開閉部６及び筐体左側開閉部７を自動的に閉じるようにする。これにより音楽再生装置３０では、音楽データの再生のために起動したとき、ユーザの手を何ら煩わせることなく筐体右側回動部４及び筐体左側回動部５に対し筐体右側開閉部６及び筐体左側開閉部７を自動的に所望の角度まで開くことができると共に、音楽データの再生終了後に起動停止したときにも、ユーザの手を何ら煩わせることなく筐体右側回動部４及び筐体左側回動部５に対し筐体右側開閉部６及び筐体左側開閉部７を自動的に閉じて右スピーカ１０及び左スピーカ１１を外部から完全に隠すことができる。従ってこのようにすれば、上述した実施の形態に比べて音楽再生装置３０の使い勝手をさらに向上させることができる。
【００２８】
ところでかかる構成の音楽再生装置３０では、起動する毎に、筐体中央部３に対する筐体右側回動部４及び筐体左側回動部５の回転角度は固定で当該筐体右側回動部４及び筐体左側回動部５に対し筐体右側開閉部６及び筐体左側開閉部７のみが開く。このため音楽再生装置３０では、筐体右側回動部４及び筐体左側回動部５に対し筐体右側開閉部６及び筐体左側開閉部７を開いた状態で筐体中央部３に対する当該筐体右側回動部４及び筐体左側回動部５の回転角度を適宜調節させておく。これにより音楽再生装置３０では、当該音楽再生装置３０の載上位置が固定とされ、かつユーザが音楽を聴取する場所も固定であると、起動する毎に、例えばユーザに対し右スピーカ１０及び左スピーカ１１を常に頭部に向けて配置して音楽を聴取させることができる。
【００２９】
また上述の実施の形態においては、筐体中央部３に対し筐体右側回動部４及び筐体左側回動部５を回動可能に枢支するようにした場合について述べたが、本発明はこれに限らず、筐体中央部３と筐体右側回動部４及び筐体左側回動部５とを筐体本体部として一体形成し、当該筐体中央部３に対し筐体右側回動部４及び筐体左側回動部５を回動させず、かつ当該筐体本体部の互いに対向する一方及び他方の端面（すなわち、上記した筐体右側回動部４の右端面４Ａ及び筐体左側回動部５の左端面５Ａに相当）に対しヒンジ部８及び９を介して筐体右側開閉部６及び筐体左側開閉部７を開閉可能に取り付けて構成するようにしても良い。このように構成しても、使用停止時に筐体本体部に対し筐体右側開閉部６及び筐体左側開閉部７を閉じることで右スピーカ１０及び左スピーカ１１の破損を回避し得ると共に、音楽データの再生時に当該右スピーカ１０及び左スピーカ１１を、振動面の正面がユーザに向くように配置することができる。
【００３０】
さらに上述の実施の形態においては、音楽再生装置１及び３０の装置筐体を略回転楕円体状に形成するようにした場合について述べたが、本発明はこれに限らず、直方体状や立方体状、球体状、多面体状等のように、この他種々の形状の筐体を適用することができる。
【００３１】
さらに上述の実施の形態においては、筐体右側回動部４及び筐体左側回動部５と、筐体右側開閉部６及び筐体左側開閉部７とを回転楕円体状筐体２の一部として形成したことで、右端面４Ａ及び左端面５Ａと、第１及び第２の開口６Ａ及び７Ａとがほぼ同一の大きさとなるようにした場合について述べたが、本発明はこれに限らず、右端面４Ａ及び左端面５Ａに対し第１及び第２の開口６Ａ及び７Ａ全体を当接させることができれば、当該筐体右側回動部及び筐体左側回動部の右端面及び左端面を第１及び第２の開口６Ａ及び７Ａよりも大きい種々の形状に形成するようにしても良い。
【００３２】
さらに上述の実施の形態においては、本発明による放音装置を、図１乃至図８について上述した音楽再生装置１及び３０に適用するようにした場合について述べたが、本発明はこれに限らず、外部のパーソナルコンピュータ、携帯電話機、ＰＤＡ（Personal Digital Assistance ）、ゲーム機器、コンパクトディスクプレーヤ、ＤＶＤ（Digital Versatile Disc）プレーヤ、ハードディスクレコーダ等の情報処理装置から出力される音楽データ等の種々の音声データや、テレビジョン受像機等から出力される音楽データ等の種々の音声データを取り込んで、当該音声データに基づく音声を右スピーカ及び左スピーカから放音するスピーカユニット等のように、この他種々の構成の放音装置に広く適用することができる。
【００３３】
さらに上述の実施の形態においては、互いに対向する一方及び他方の端面を有する筐体本体部として、図１乃至図８について上述した回転楕円体状筺体２の一部としての略樽型形状の部分でなる筺体中央部３と、略円錐台形状の部分でなる筐体右側回動部４と、略円錐台形状の部分でなる筐体左側回動部５とを適用するようにした場合について述べたが、本発明はこれに限らず、筐体中央部及び筐体右側回動部並びに筐体左側回動部が一体形成された種々の形状でなる筐体本体部等のように、この他種々の筐体本体部を広く適用することができる。
【００３４】
さらに上述の実施の形態においては、第１のスピーカを収納して当該第１のスピーカの振動板の正面のみを露出させる第１の開口を有し、筐体本体部に対し、一方の端面と第１の開口全体とを当接させる位置と、一方の端面から第１の開口を離間させる位置との所定角度範囲で開閉可能に取り付けられた第１の開閉部として、図１乃至図８について上述した回転楕円体状筺体２の一部としての、第１の凹部を有する略円錐形状の部分でなる筺体右側開閉部６を適用するようにした場合について述べたが、本発明はこれに限らず、第１の開口を有する三角錐状や四角錐状、また直方体等のように、この他種々の形状の第１の開閉部を広く適用することができる。
【００３５】
さらに上述の実施の形態においては、第２のスピーカを収納して当該第２のスピーカの振動板の正面のみを露出させる第２の開口を有し、筐体本体部に対し、他方の端面と第２の開口全体とを当接させる位置と、他方の端面から第２の開口を離間させる位置との所定角度範囲で開閉可能に取り付けられた第２の開閉部として、図１乃至図８について上述した回転楕円体状筺体２の一部としての、第２の凹部を有する略円錐形状の部分でなる筺体左側開閉部７を適用するようにした場合について述べたが、本発明はこれに限らず、第２の開口を有する三角錐状や四角錐状、また直方体等のように、この他種々の形状の第２の開閉部を広く適用することができる。
【００３６】
さらに上述の実施の形態においては、筐体本体部の中央部分でなる筐体中央部として、図１乃至図８について上述した回転楕円体状筺体２の一部としての略樽型形状の部分でなる筺体中央部３を適用するようにした場合について述べたが、本発明はこれに限らず、立方体や直方体等のように、この他種々の形状の筐体中央部を広く適用することができる。
【００３７】
さらに上述の実施の形態においては、一方の端面を有し、第１の開閉部が開閉可能に取り付けられると共に、筐体中央部に対し回動可能に枢支された第１の筐体回動部として、図１乃至図８について上述した回転楕円体状筺体２の一部としての略円錐台形状の部分でなる筐体右側回動部４を適用するようにした場合について述べたが、本発明はこれに限らず、筐体中央部に対し、水平回動軸線Ｌ１と所定角度で交差する所定の軸線を中心にして回動可能に枢支された、立方体や直方体等の第１の筐体回動部のように、この他種々の形状の第１の筐体回動部を広く適用することができる。
【００３８】
さらに上述の実施の形態においては、他方の端面を有し、第２の開閉部が開閉可能に取り付けられると共に、筐体中央部に対し回動可能に枢支された第２の筐体回動部として、図１乃至図８について上述した回転楕円体状筺体２の一部としての略円錐台形状の部分でなる筐体左側回動部５を適用するようにした場合について述べたが、本発明はこれに限らず、筐体中央部に対し、水平回動軸線Ｌ１と所定角度で交差する所定の軸線を中心にして回動可能に枢支された、立方体や直方体等の第２の筐体回動部のように、この他種々の形状の第２の筐体回動部を広く適用することができる。
【産業上の利用可能性】
【００３９】
本発明は、音楽再生装置やスピーカユニット等の放音装置に利用することができる。
【図面の簡単な説明】
【００４０】
【図１】本発明による音楽再生装置の外観構成の一実施の形態を示す略線的斜視図である。
【図２】音楽再生装置の背面構成を示す略線図である。
【図３】筐体右側回動部及び筐体左側回動部に対する筐体右側開閉部及び筐体左側開閉部の開閉の説明に供する略線図である。
【図４】筐体右側開閉部及び筐体左側開閉部の形状の説明に供する略線図である。
【図５】筐体右側回動部及び筐体左側回動部の回動の説明に供する略線図である。
【図６】筐体右側回動部及び筐体左側回動部の回動による右スピーカ及び左スピーカの向きの可変の説明に供する略線図である。
【図７】音楽再生装置の回路構成を示すブロック図である。
【図８】他の実施の形態による音楽再生装置の回路構成を示すブロック図である。
【符号の説明】
【００４１】
１、３０……音楽再生装置、２……回転楕円体状筐体、３……筐体中央部、４……筐体右側回動部、４Ａ……右端面、５……筐体左側回動部、５Ａ……左端面、６……筐体右側開閉部、６Ａ……第１の開口、７……筐体左側開閉部、７Ａ……第２の開口、８、９……ヒンジ部、１０……右スピーカ、１１……左スピーカ、３２……開閉駆動部、Ｌ１……水平回動軸線。
【図１】
2006345465.tif 000003
【図２】
2006345465.tif 000004
【図３】
2006345465.tif 000005
【図４】
2006345465.tif 000006
【図５】
2006345465.tif 000007
【図６】
2006345465.tif 000008
【図７】
2006345465.tif 000009
【図８】
2006345465.tif 000010